(57)【要約】【課題】効率よく、洗濯水を衣類に素早く満遍なく浸透させ洗浄性能を向上させる。【解決手段】洗濯水を溜める水槽２と、水槽２内に回転可能に配設された回転ドラム４と、水槽２に設け回転ドラム４内に衣類を投入する開口部５と、開口部５の周縁に設け回転ドラム４内に向け水を噴出するノズル２６と、水道水をノズル２６へ供給する給水弁１５と、水槽２内の水をノズル２６へ供給するポンプ２１とを有し、給水弁１５およびポンプ２１から供給された水をノズル２６へ導水するノズル水路２２を設けたことにより、洗濯開始前の給水時から衣類に水を注ぐことが可能となり、効率よく、洗濯水を素早く満遍なく衣類に浸透させることができ、洗浄性能が向上するものである。【選択図】図１
2014068738.tif 000002
【特許請求の範囲】
【請求項１】
洗濯水を溜める水槽と、前記水槽内に回転可能に配設された回転ドラムと、前記水槽に設け前記回転ドラム内に衣類を投入する開口部と、前記開口部の周縁に設け前記回転ドラム内に向け水を噴出するノズルと、水道水を前記ノズルへ供給する給水弁と、前記水槽内の水を前記ノズルへ供給するポンプとを有し、前記給水弁および前記ポンプから供給された水を前記ノズルへ導水するノズル水路を設けたことを特徴とするドラム式洗濯機。
【請求項２】
前記ノズル水路と前記給水弁を結ぶ水路と、前記ノズル水路と前記ポンプを結ぶ水路とのいずれか一方または両方に、逆止弁を設けたことを特徴とする請求項１に記載のドラム式洗濯機。
【発明の詳細な説明】
【技術分野】
【０００１】
本発明は、水槽内に設置した回転ドラムを、回転軸方向が水平または水平方向から下向き傾斜となるようにして、回転ドラムを回転させて洗濯するドラム式洗濯機に関するものである。
【背景技術】
【０００２】
従来、このようなドラム式洗濯機で、水槽内の洗濯水を循環ポンプで循環させる循環機能を有したものが知られている（例えば、特許文献１および２参照）。また、それに加えて水道水をノズルから水槽内に噴射するシャワー機能を有したものが知られている（例えば、特許文献３参照）。
【０００３】
特許文献１および２は、循環手段による回転ドラム内への噴射を、回転ドラム前面側から回転ドラム背面側または回転ドラム中心側に、ノズルの角度を変えて複数形成された噴射口より噴射し、洗濯水を衣類全体に均等に浸透させることにより、高容量の衣類を効率よく洗濯するものである。
【０００４】
特許文献３は前記特許文献１および２に類似した循環手段による回転ドラム内への噴射に加えて、水道水を給水するシャワーノズル（以降、給水シャワーノズルと言う）を備え、洗浄力の向上、節水、洗濯時間の短縮などを謳ったものである。
【先行技術文献】
【特許文献】
【０００５】
【特許文献１】特開２０１１−４１７４１号公報
【特許文献２】特開２０１１−２５０９２２号公報
【特許文献３】特開２０１１−５６１９３号公報
【発明の概要】
【発明が解決しようとする課題】
【０００６】
しかしながら、特許文献１および２の様に循環シャワーのみの構成では、運転開始直後から衣類に水道水を浸透させる手段がない為、洗濯水を衣類全体に均等に浸透させるまでに時間がかかる。一方、特許文献３はその点は改善されているが、循環シャワーノズルと給水シャワーノズルは別体である為、洗濯物が引っ掛かって不具合が生じたり、コスト上昇の要因になる。
【０００７】
本発明は、上記従来の課題を解決するもので、洗濯中の衣類破れの恐れやコスト上昇を抑えると共に、効率よく、洗濯水を衣類に素早く満遍なく浸透させることができるドラム式洗濯機を提供することを目的としている。
【課題を解決するための手段】
【０００８】
前記従来の課題を解決するために、本発明のドラム式洗濯機は、洗濯水を溜める水槽と、前記水槽内に回転可能に配設された回転ドラムと、前記水槽に設け前記回転ドラム内に衣類を投入する開口部と、前記開口部の周縁に設け前記回転ドラム内に向け水を噴出するノズルと、水道水を前記ノズルへ供給する給水弁と、前記水槽内の水を前記ノズルへ供給するポンプとを有し、前記給水弁および前記ポンプから供給された水を前記ノズルへ導水するノズル水路を設けたものである。
【０００９】
これによって、洗濯開始前の給水時から衣類に水を注ぐことが可能となり、コストアッ
プを抑えながら、効率よく、洗濯水を素早く満遍なく衣類に浸透させることができ、洗浄性能が向上するものである。
【発明の効果】
【００１０】
本発明のドラム式洗濯機は、洗濯開始前の給水時から衣類に水を注ぐことが可能となり、効率よく、洗濯水を素早く満遍なく衣類に浸透させることができ、洗浄性能が向上するものである。
【図面の簡単な説明】
【００１１】
【図１】本発明の実施の形態１におけるドラム式洗濯機の断面図
【図２】同ドラム式洗濯機の要部断面図
【図３】同ドラム式洗濯機の要部断面図
【図４】同ドラム式洗濯機の図１のＡ−Ａ矢視図
【図５】同ドラム式洗濯機の要部断面図
【発明を実施するための形態】
【００１２】
第１の発明は、洗濯水を溜める水槽と、前記水槽内に回転可能に配設された回転ドラムと、前記水槽に設け前記回転ドラム内に衣類を投入する開口部と、前記開口部の周縁に設け前記回転ドラム内に向け水を噴出するノズルと、水道水を前記ノズルへ供給する給水弁と、前記水槽内の水を前記ノズルへ供給するポンプとを有し、前記給水弁および前記ポンプから供給された水を前記ノズルへ導水するノズル水路を設けたことにより、回転ドラム内の洗濯物が引っ掛かることなく、衣類に向けて、水道水と循環水の双方を吐出することができる。また、水道水を運転開始直後から衣類に浸透させることができ、洗浄性能が向上する。
【００１３】
第２の発明は、上記第１の発明において、前記ノズル水路と前記給水弁を結ぶ水路と、前記ノズル水路と前記ポンプを結ぶ水路とのいずれか一方または両方に、逆止弁を設けたことにより、ノズル水路内の水圧低下を防ぎ、ノズルから勢い良く水を噴出することができる。
【００１４】
以下、本発明の実施の形態について、図面を参照しながら説明する。なお、この実施の形態によって本発明が限定されるものではない。
【００１５】
（実施の形態１）
図１は本発明の実施の形態１におけるドラム式洗濯機の側断面図、図２、図３は要部断面図、図４は、図１のＡ−Ａ矢視図、図５はノズルの断面図である。
【００１６】
図１〜図５において、筐体１内に有底円筒形に形成された水槽２がサスペンション３により弾性支持されている。この水槽２内に有底円筒形に形成された回転ドラム４が回転可能に配設されている。回転ドラム４の回転軸心４ａは、回転ドラム４の円筒形の中心線とほぼ一致しており、これは水槽２の円筒形の中心線ともほぼ一致している。
【００１７】
水槽２および回転ドラム４は、前面側に各々開口部５、６が設けてあり、水槽２の開口部５側を筐体１の正面側にして、回転ドラム４の回転軸心４ａを水平方向から前上がりに傾斜（例えば、１０〜２０度）させて支持されている。
【００１８】
水槽２および回転ドラム４の開口部５、６に対向して筐体１の前面に開閉自在な扉体７が設けてあり、この扉体７を開くことにより、回転ドラム４に対して洗濯物を出し入れすることができる。なお、水槽２の開口部５の周囲には、柔軟な例えばラバー等の弾性体によって成形されたベローズ８が配設され、扉体７を閉じると、その内面にベローズ８の一
端が圧接し、開口部５と扉体７がシールされる。
【００１９】
水槽２の開口部５と反対側の端面には、回転ドラム４を回転駆動するモータ９が取り付けられている。モータ９のロータは、槽回転軸１０で回転ドラム４と連結されており、モータ９の回転は槽回転軸１０によって回転ドラム４に伝達される。
【００２０】
回転ドラム４の円筒壁１１には、複数の突起体１２が回転軸心４ａに向かって突出して設けられており、回転ドラム４を回転させることにより、洗濯物を突起体１２で引っ掛けて上方に持ち上げては、ある程度の高さから落下させるといった動作を行なうことができる。
【００２１】
回転ドラム４の円筒壁１１には、小孔１３が全周にわたって多数設けられており、水槽２内の洗濯水が所定の水位に溜まると、小孔１３から回転ドラム４内に洗濯水が入ってくるように構成されている。
【００２２】
水槽２の上方には、水道の蛇口から入った水を制御する給水弁１５、および洗剤を収容する洗剤容器１４が設けられている。また、給水弁１５にはシャワー用の耐圧ホース５１が接続されており耐圧ホース５１はエルボ５２に接続されている。エルボ５２は水槽２に固定されている。
【００２３】
水道の蛇口から入った水は、給水弁１５から洗剤容器１４に入り、洗剤とともに水槽２内に導く第１の給水経路１６と、耐圧ホース５１からエルボ５２を介してノズル水路２２に入り、ノズル２６から水槽２内に導く第２の給水経路５０が設けられている。エルボ５２と水槽２の接続部には、第１の逆止弁５３が装着されており、耐圧ホース５１内に洗濯水が逆流するのを防ぐ構造となっている。
【００２４】
水槽２の下方には、水槽２内の洗濯水を排出する排出口１７が設けられており、排出口１７から排出される洗濯水を筐体１の外へと導く排水経路１８が設けられている。排水経路１８の途中には、排水経路１８を開閉する排水弁１９が設けられている。
【００２５】
排出口１７には、水槽２から排出された洗濯水を回転ドラム４を経て、再び水槽２内へ導く循環経路２０が接続されており、排水経路１８と途中で分岐して設けられている。循環経路２０は、水槽２の後方下部から前方に向かって水槽２の下方にほぼ水平に配設されてしいる。
【００２６】
循環経路２０の途中には、ポンプ２１が設けられており、ポンプ２１を駆動すると、水槽２内の洗濯水を排出口１７から循環経路２０内に引き込み、循環経路２０に流入した洗濯水を加圧して回転ドラム４へ送水し、循環経路２０を通して水槽２へ循環させることができる。
【００２７】
水槽２の前部内側には、回転ドラム４の開口部６側から見て、水槽２に設けた円形の開口部５の外周側にノズル水路２２が設けられている。このノズル水路２２は、回転ドラム４に円形に設けた開口部６の周縁部２３の外側に略円状に設けられている。水槽２に設けた開口部５と、回転ドラム４に設けた開口部６と、ノズル水路２２は略同心円状に形成され、ノズル水路２２の内周縁部２４は、開口部６の周縁部２３より半径方向の外側に位置する。
【００２８】
ポンプ２１により送水される水槽２内の洗濯水は、循環経路２０を通ってノズル水路２２に設けられた流入口２５からノズル水路２２内へと導かれ、ノズル水路２２に設けた少なくとも３個以上（図３の例は７個）の複数のノズル２６（２６ａ〜２６ｇ）へと導かれ
る。ノズル２６は、ノズル水路２２から回転ドラム４の回転軸心４ａ側に向けて洗濯水を噴出するように設けられている。
【００２９】
循環経路２０と流入口２５の接続部付近には第２の逆止弁５４が装着されており、前記第２の給水経路５０から給水された水が循環経路２０に流入するのを防いでいる。これにより、第２の給水経路５０のみで給水する場合にノズル水路内の圧力低下を防ぐ構造となっている。
【００３０】
ノズル２６と、開口部６の周縁部２３との間には空間部２７が設けられている。空間部２７には、ノズル２６から空間部２７に噴出した洗濯水を開口部６に向かって反射させる反射部２８が設けてあり、空間部２７に噴出した洗濯水を開口部６へと導いて、回転ドラム４内へ導入されるように構成している。
【００３１】
複数のノズル２６（２６ａ〜２６ｇ）は、回転ドラム４の開口部６の周縁部２３から離れた位置に形成しており、ノズル２６を回転ドラム４の開口部６に露出させることなく、回転ドラム４内の洗濯物に対して、拡散した洗濯水をかけることが可能となり、回転ドラム４に洗濯物を投入するとき、あるいは、取り出し時に開口部６に引っ掛かって傷めることがなく、かつ、洗濯物の出し入れが容易で、使い勝手をよくすることができる。
【００３２】
ノズル２６から噴出された噴流を反射部２８に導くための導水壁面等はなく、ノズル２６からの噴流は、空間部２７に放出された後、反射部２８の衝突面２８ａに衝突し、拡散しながら回転ドラム４の開口部６から回転ドラム４内へと導かれるように構成しているため、ノズル２６を回転ドラム４の開口部６の周側部から離れた位置に形成しても、ノズル２６からの噴流は、不要な壁面抵抗を受けることなく回転ドラム４内へ導くことができ、流速の低下を最低限に抑え、洗濯水を勢いよく回転ドラム４内の洗濯物に供給することができる。
【００３３】
また、ノズル２６は、導水壁面に沿わせるために、扁平形状とする必要がないため、同一断面積であれば、最も圧力損失の小さい丸穴形状としている。これにより、ノズル２６から噴出される洗濯水の流量低下を最低限に抑えることができ、十分な量の洗濯水を回転ドラム４内の洗濯物に供給することができる。
【００３４】
また、反射部２８により棒状の噴流を拡散させるため、回転ドラム４内の洗濯物に対して、広範囲に洗濯水をかけることができ、洗浄性能およびすすぎ性能を向上させることができる。
【００３５】
反射部２８は、回転ドラム４の前面部に対向して開口部５の周囲に環状に配設してあり、ノズル２６から噴出した洗濯水が衝突する衝突面２８ａを、ノズル２６からの噴流方向に対して傾斜させて設けている。
【００３６】
これにより、ノズル２６からの噴流を衝突面２８ａで多方向へ飛散させることなく、安定的に着水させ、傾斜面に沿って流しながら拡散させることができるため、回転ドラム４内の洗濯物に対して、安定した拡散状態で洗濯水を供給することができる。
【００３７】
ノズル２６からの噴流方向に対する衝突面２８ａの傾斜角度は、緩やかであるほど、より安定的に噴流を着水させ、拡散させることができる。しかしながら、反射部２８が衝突面２８ａだけで構成されていた場合、ノズル２６からの噴出方向に対する衝突面２８ａの傾斜角度が緩やかであれば、噴流を回転ドラム４の内側奥方向へと導くことができず、回転ドラム４内の前方の衣類にしか洗濯水が供給されない。
【００３８】
そこで、反射部２８には、ノズル２６からの噴流が衝突面２８ａに衝突した後、回転ドラム４の内側奥方向へと導くための案内部２８ｂをその内周縁に設けている。
【００３９】
ノズル２６からの噴流方向に対して衝突面２８ａは、案内部２８ｂよりも緩やかに傾斜させている。これにより、ノズル２６からの噴流を回転ドラム４内に導くための方向とは関係なく、衝突面２８ａの傾斜をノズル２６からの噴流方向に対して緩やかに設定することができ、より安定的に噴流を着水させ、拡散させることができる。
【００４０】
その後、回転ドラム４内に向けた方向へ案内部２８ｂで導くため、回転ドラム４内の洗濯物に対して、安定した拡散状態で洗濯水を供給することができる。
【００４１】
また、反射部２８は、案内部２８ｂで洗濯水を導く長さを、衝突面２８ａで洗濯水を導く長さより短くしている。ノズル２６から噴出する噴流を衝突面２８ａに安定的に着水させ、拡散させるためには、衝突面２８ａに対して噴流が接触する距離は、噴流の衝突範囲以上の長さで構成する必要がある。
【００４２】
一方、案内部２８ｂは、噴流の方向を変えるだけの機能であるため、衝突面２８ａよりも短く接触させるだけで十分である。これにより、案内部２８ｂにおける流速低下を最低限に抑えることができ、回転ドラム４内の洗濯物に対して洗濯水をより勢いよく供給することができ、洗浄性能およびすすぎ性能を向上させることができる。
【００４３】
ポンプ２１によって送水される洗濯水は、ノズル水路２２に設けた複数のノズル２６ａ〜２６ｇから棒状の噴流となって、回転軸心４ａ側へ噴出する。空間部２７に噴出した洗濯水は反射部２８の衝突面２８ａに衝突し、回転ドラム４の開口部６に向かって反射させるとともに、回転ドラム４の回転方向に拡散され、かつ、案内部２８ｂにより開口部６の周縁部２３の近傍から回転ドラム４内に向かって噴出する。
【００４４】
ノズル２６は、開口部６の周縁部２３の外側に略円状に設けられたノズル水路２２に複数設けてあり、洗濯水の噴出方向を全て回転ドラム４の回転軸心４ａに向けた方向から回転ドラム４の開口面側から見て、同一方向へ所定の変位角度（ずらし角度）θ１で変位させている。ノズル２６ａ〜２６ｇの変位角度（ずらし角度）θ１は、同じ角度に設定している。
【００４５】
これにより、回転ドラム４内に噴出した洗濯水が通過する範囲を拡大することができ、回転ドラム４内の洗濯物に効率よく満遍なく供給し続けることができる。変位角度（ずらし角度）が大きすぎると、回転軸心４ａ近傍に洗濯水が通過しない部分が生じるため、回転軸心４ａ近傍に洗濯水が通過しない部分が生じないようにする好適例として、回転軸心４ａに対して洗濯水の噴出方向イを変位させる変位角度（ずらし角度）θ１は、回転ドラム４の回転方向に拡散される洗濯水の広がり角度θ２（例えば、１０〜３０度）の半分程度（例えば、５〜１５度）に設定するのが好ましい。
【００４６】
ノズル２６は、ノズル水路２２の一部を回転ドラム４の回転軸心４ａ側へ膨らませた膨出部２９を設け、この膨出部２９の平面部３０に円形のノズル孔３１を設けている。ノズル孔３１は、ノズル孔３１の長さＬを、ノズル孔３１の直径ｄ以下にしている。平面部３０は、ノズル孔３１から噴出する洗濯水の噴出方向と直交し、ノズル２６の変位角度（ずらし角度）θ１で傾斜している。
【００４７】
膨出部２９内は、ノズル水路２２内を端部２２ａまで流れる洗濯水の主流（点線矢印）からは隔離されるため、ノズル２６（２６ａ〜２６ｇ）は洗濯水の主流からの影響を受けにくい。このため、ノズル２６（２６ａ〜２６ｇ）から噴出する噴流の乱れを抑えること
ができ、噴出される洗濯水の方向を安定させることができる。
【００４８】
また、このノズル２６（２６ａ〜２６ｇ）からの噴流を縮流させることができるため、流速を速め、噴出される洗濯水の勢いを強めることができる。
【００４９】
ノズル水路２２へ洗濯水を供給する循環経路２０の循環流量を増加させると、水槽２内の水位が下がり、ポンプ２１に空気が混入しやすくなり、所謂エア噛み状態となり、逆に流量が低下するという問題がある。このため、水槽２内に溜める水量を少なくして洗濯をおこなう場合は、循環経路２０を循環する流量の増加に限度がある。また、ノズル孔３１の断面積を小さくすると、洗濯物から発生した糸くず等が詰まる等の信頼性上の課題が生じ、ノズル孔３１の断面積を小さくすることにも限度がある。
【００５０】
そこで、本発明は、図４に示すように、ノズル水路２２に回転ドラム４の回転軸心４ａ側へ膨らませた膨出部２９を設け、ノズル孔３１の周囲にノズル孔３１の貫通方向に対して略垂直な平面部３０を設けている。
【００５１】
膨出部２９によって作られるノズル水路２２内の内壁面２２ｂ近傍の流れは、流体の粘性により内壁面２２ｂに沿って流れようとするが、ノズル孔３１から噴流として噴出する際、内壁面２２ｂが急に約９０度曲がるため、流れはノズル孔３１の周壁から剥離する。
【００５２】
このため、図５に示すように、噴流の断面積ロはノズル孔３１の断面積ハよりも小さくなる、つまり縮流する。これにより、本発明のノズル２６は、流量が同一で、ノズル孔３１の断面積が同一であっても、通常のものより流速を速めることができ、ノズル２６から噴出する洗濯水の勢いを強めることができる。
【００５３】
また、ノズル孔３１は、図５のＥ−Ｅ断面の形状を円形にしている。これにより、噴流は均一に縮流するため、ノズル孔３１からの噴流の乱れを抑えることができ、洗濯水を設定された方向へ噴出させて洗濯物にかけることができる。また、ノズル孔３１に角がないため、洗濯物から発生した糸くず等がノズル孔３１に引っ掛かりにくく、糸くずによる孔詰まりを防止することができる。
【００５４】
また、ノズル孔３１は、ノズル孔３１の長さＬを、ノズル孔３１の直径ｄ以下にしている。ノズル孔３１が噴出方向に長すぎると、一旦、ノズル孔３１の周壁から剥離されて縮流した流れが、徐々に広がって噴出するようになり、流速を速める効果がなくなるため、ノズル孔３１の長さＬは、ノズル孔の直径ｄ以下程度であることが好ましく、ノズル孔３１からの噴流の流速を確実に速めることができるため、噴出される洗濯水の勢いを確実に強めることができる。
【００５５】
また、ノズル水路２２は、流入口２５から２方向に分岐され、端部２２ａに向かって延長するように構成されている。このため、ノズル水路２２内を流れる水の経路は、２分割されるので、ノズル水路２２が開口部５を囲むように環状に長く形成されていても、流れの経路を短くすることができ、経路の圧力損失を低減させることができる。
【００５６】
したがって、各々のノズル２６ａ〜２６ｇに十分な圧力をかけることができ、ノズル２６から噴出される噴流の流速を確保することができ、回転ドラム４内の洗濯物に満遍なく洗濯水をかけることができる。
【００５７】
なお、ノズル水路２２は、端部２２ａのない環状に形成された構成でも、流入口２５から２方向に分岐されるので同様である。
【００５８】
また、流入口２５からノズル水路２２へ洗濯水を流入させる方向を、回転ドラム４の回転軸心４ａ方向（矢印ニ）となるように構成している。このため、２方向への洗濯水の流れをスムーズに分岐することができ、各々のノズル２６ａ〜２６ｇに十分な圧力をかけることができ、ノズル２６から噴出される噴流の流速を確保することができる。
【００５９】
筐体１内の後方下部には、モータ９、給水弁１５、排水弁１９、ポンプ２１等を制御し、洗濯、すすぎ、脱水の各工程の動作を設定されたプログラムに基いて制御する制御手段３２が設けられている。
【００６０】
以上のように構成されたドラム式洗濯機について、以下、その動作、作用を説明する。
【００６１】
扉体７を開いて回転ドラム４内に洗濯物を投入して運転を開始すると、投入された洗濯物の量を検知した後、給水弁１５が開き、洗濯水が洗剤容器１４内に貯蔵された洗濯洗剤を溶かして第１の給水経路１６から水槽２内に給水する。
【００６２】
所定の時間が経過し、洗濯洗剤を水槽２内へ供給した後、今度は第２の給水経路５０へ水道水を導くように給水弁１５を開き、水道水を、耐圧ホース５１からエルボ５２を介してノズル水路２２に導水し、ノズル２６から水槽２内に噴流にして衣類へ注ぐ。このようにして水槽２内に給水が行われる。
【００６３】
このとき、第２の逆止弁５４を設けているので、第２の給水経路５０から給水された水が循環経路２０に流入しない。これにより、ノズル水路内の圧力低下を防ぐことができ、勢いよくノズル２６から衣類へ水を噴射することができる。
【００６４】
水槽２内に溜められる洗濯水は水位検知手段（図示せず）によって検知され、洗濯物の量に応じて設定された水量が溜められると、給水を停止して洗濯を開始する。回転ドラム４はモータ９によって正逆回転駆動され、回転ドラム４内に収容された洗濯物は、回転ドラム４の円筒壁１１に設けられた突起体１２により回転方向に持ち上げられた後落下し、洗濯物は叩き洗いの作用によって洗濯される。
【００６５】
洗濯水の水位は、叩き洗いの効果が得られるように洗濯物が洗濯水まで落下する距離が設定され、回転ドラム４内の下方まで洗濯水が溜められる。しかしながら、水槽２内の水位が低い状態では、洗濯物全体に洗濯水が行き渡りにくいため、回転ドラム４内の洗濯物に洗濯水を降りかけるべく、ポンプ２１を動作させると、水槽２内の洗濯水は水槽２の底部に設けた排出口１７から循環経路２０内に引き込まれる。
【００６６】
循環経路２０から流入口２５を通してノズル水路２２へ送水された洗濯水は、環状に長く形成された端部２２ａに向かって２方向へ分岐され、等間隔に設けられた複数のノズル２６（２６ａ〜２６ｇ）から回転ドラム４内に向かって拡散させながら噴出する。洗濯およびすすぎ時は、ポンプ２１を動作させて水槽２内の洗濯水を循環させ、洗濯物に満遍なく洗濯水をかける。
【００６７】
このとき、第１の逆止弁５３を設けているので、循環経路２０から給水された水が第２の給水経路５０に流入しない。これにより、ノズル水路内の圧力低下を防ぐことができ、勢いよくノズル２６から衣類へ水を噴射することができる。
【００６８】
複数のノズル２６（２６ａ〜２６ｇ）は、洗濯水の噴出方向イを、回転ドラム４の開口面側から見て、回転ドラム４の回転軸心４ａに向けた方向から、同一方向へ所定の変位角度（ずらし角度）θ１で変位させているため、ポンプ２１により水槽２内に送水する洗濯水が、回転ドラム４内に噴出される範囲を拡大することができるようになり、回転ドラム
４内で撹拌されて移動している洗濯物に対して洗濯水がかかる機会が多くでき、回転ドラム４内の洗濯物全体に満遍なく洗濯水を供給し続けることができるため、洗浄性能およびすすぎ性能を向上させることができる。
【００６９】
また、複数のノズル２６（２６ａ〜２６ｇ）は、洗濯水の噴出方向イを、回転ドラム４の開口面側から見て、回転ドラム４の回転軸心４ａに向けた方向から、同一角度（ずらし角度）θ１で変位させているため、回転ドラム４内に噴出される範囲を均等に拡大することができるようになり、回転ドラム４内で撹拌されて移動している洗濯物に対して洗濯水がかかる機会が多くでき、回転ドラム４内の洗濯物全体に満遍なく洗濯水を供給し続けることができる。
【００７０】
また、複数のノズル２６の少なくとも１個以上のノズル２６ｇは、回転ドラム４の開口部６の周縁部２３の上端近傍から回転ドラム４内に向かって洗濯水を噴出するように構成している。このため、洗濯物の最上点近傍から洗濯水をかけることができ、上方の洗濯物に供給された洗濯水が重力により下方へと流れていく過程において、下方の洗濯物にも供給されるため、効率よく洗濯物全体に満遍なく洗濯水を供給し続けることができる。
【００７１】
所定の洗濯時間が経過すると、排水弁１９を開いて水槽２内の洗濯水を排水経路１８を通して排水し、新たにすすぎ用の洗濯水を給水してすすぎ工程を実行する。すすぎ工程における回転ドラム４の動作は、洗濯工程と同様である。
【００７２】
すすぎ工程でもポンプ２１を作動し、すすぎ水を回転ドラム４内の洗濯物全体に満遍なく供給することにより、効果的にすすぎを行うことができる。
【００７３】
所定回数のすすぎ工程が終わると、排水弁１９を開いて水槽２内のすすぎ水を排水し、回転ドラム４を高速回転させて洗濯物に含まれているすすぎ水を脱水する、脱水工程を所定時間実行して運転を終了する。なお、乾燥装置を設け、脱水工程に続いて乾燥工程を実行するようにしてもよい。
【産業上の利用可能性】
【００７４】
以上のように、本発明にかかるドラム式洗濯機は、効率よく、洗濯水を衣類に素早く満遍なく浸透させ、洗浄性能を高めることができるので、ドラム式洗濯機以外の洗濯機等の用途にも適用できる。
【符号の説明】
【００７５】
２  水槽
４  回転ドラム
５、６  開口部
１５  給水弁
２１  ポンプ
２２  ノズル水路
２６  ノズル
５３  第１の逆止弁
５４  第２の逆止弁
【図１】
2014068738.tif 000003
【図２】
2014068738.tif 000004
【図３】
2014068738.tif 000005
【図４】
2014068738.tif 000006
【図５】
2014068738.tif 000007